(57)【要約】      【課題】  ビル工事の扉用の枠体は開口部に取り付けられて、その後、内装が実施されていたため、傷が付たり汚れたりし、保護材を用いると取り外しに手間暇かかる上、ユニット製品で有るにもかかわらず、枠体は先行取り付け、扉等は後付けされており、二重手間と成る。      【解決手段】  本発明は、開口部Ａに固定する内部木片２と、内部木片の内側に内装する枠体１と、枠体に刻設した凹溝１ａと、内部木片と枠体とを固定する横断面Ｌ字状固定金具３と横断面略Ｊ字状固定金具４と、突片５ａを立設すると共に開口部に固定する突片付き板状枠体５とを用いて、開口部に内部木片を固定する行程と、枠体に横断面Ｌ字状固定金具を固定する行程と、開口部に枠体を挿入すると共に横断面Ｌ字状固定金具を固定する行程と、横断面略Ｊ字状固定金具を固定する行程と、突片付き板状枠体を固定する行程と、を含む。      【選択図】      図１
2007247319.tif 000002
【特許請求の範囲】
【請求項１】
ビル等の建築物の開口部に扉用の枠体を後付けする取付構造であって、前記開口部の内側面の複数の任意箇所に長手方向に沿って固定する該内側面より幅狭とした複数の角柱状の内部木片と、該夫々の内部木片の内側に内装する平行する一組の横枠と上枠とで形成された枠体と、該枠体の両側面の夫々の枠の長手方向に沿って刻設した凹溝と、前記内部木片の側面と前記枠体との外側面を固定するための複数の横断面Ｌ字状固定金具と角部に傾斜部を有した複数の横断面略Ｊ字状固定金具と、前記枠体に刻設した凹溝に挿通させる突片を立設すると共に前記内部木片の側面を覆い前記開口部の外周辺の両側面に固定する突片付き板状枠体と、を備えたことを特徴とする枠体の後付け取付構造。
【請求項２】
ビル等の建築物の開口部に扉用の枠体を後付けする取付方法であって、前記開口部の内側面の複数の任意箇所に長手方向に沿って固定する該内側面より幅狭とした複数の角柱状の内部木片と、該夫々の内部木片の内側に内装する平行する一組の横枠と上枠とで形成された枠体と、該枠体の両側面の夫々の枠の長手方向に沿って刻設した凹溝と、前記内部木片の側面と前記枠体との外側面を固定するための複数の横断面Ｌ字状固定金具と角部に傾斜部を有した複数の横断面略Ｊ字状固定金具と、前記枠体に刻設した凹溝に挿通させる突片を立設すると共に前記内部木片の側面を覆い前記開口部の外周辺の両側面に固定する突片付き板状枠体と、を用いて、前記開口部の内側面の長手方向に沿って複数の任意箇所に前記内部木片を固定する開口部に内部木片を固定する行程と、該開口部に内部木片を固定する行程で固定した複数の内部木片と合致するように枠体の外側面に複数の横断面Ｌ字状固定金具の一辺を固定する枠体に横断面Ｌ字状固定金具を固定する行程と、前記開口部に内部木片を固定する行程で開口部に固定した複数の内部木片の内側に枠体を挿入すると共に枠体に横断面Ｌ字状固定金具を固定する行程で固定した夫々の横断面Ｌ字状固定金具の他辺を夫々の内部木片の一側面に固定する開口部に枠体を挿入固定する行程と、該開口部に枠体を挿入固定する行程で挿入固定した枠体の外側面と夫々の内部木片の他側面とを横断面略Ｊ字状固定金具で夫々固定する枠体に横断面略Ｊ字状固定金具を固定する行程と、前記枠体の両側面の凹溝に夫々突片を挿通させると共に突片付き板状枠体で内部木片の側面を覆って開口部の両側面の外周辺に夫々固定する突片付き板状枠体を固定する行程と、を含むことを特徴とする枠体の後付け取付方法。
【発明の詳細な説明】
【技術分野】
【０００１】
本発明はビル等の建築物の開口部に扉用の枠体の後付け取付構造及び取付方法に関するものであり、更に詳細には、ビル等の建築物の開口部に取り付ける扉用の枠体をビル工事の扉を取り付けする時点で枠体の後付けが可能なビル等の建築物の開口部に扉用の枠体の後付け取付構造及び取付方法に関するものである。
【背景技術】
【０００２】
従来、マンションやオフィス等のビル工事の扉用の枠体は予め形成された開口部に壁等の枠体や支柱等の桟体と共に取り付けられて、その後、壁塗りや床面、天井面等の内装が実施されていた。
【０００３】
然し乍ら、従来の施工方法では開口部から工事用資材の搬入等を行うために傷が付き、建築工事完了前に多数の傷補修工事か発生するため、傷を付けないように緩衝材を貼り付けたり、取り付けたりしていたが少しの衝撃で外れて、枠体が傷つく要因とも成っており、又、緩衝材を強固に貼り付けたり、取り付けたりすると取り付けや取り外し後に粘着テープ等の剥離に手間暇かかる作業となっていた。
【０００４】
その為に、例えば後付けするものとして、上枠１と左・右枠２ａ・２ｂが同一の幅を有し、そして前記各枠よりも幅の狭い下地材３とで矩形状に形成した四方枠仮固定材Ｘを設け、該四方枠仮固定材Ｘを必要場所に固定し、その後、前記下地材３に下枠材４を被冠させることを特徴とするもの（特許文献１参照）や、四方枠仮固定材Ｘにおける下枠材Ｚを、下面に下地材３の形状に適合して冠着可能な欠損部41を設け、かつ、長手方向の両端面又は片端面に部材の一部を切り欠いて形成したしゃくり欠除部５を設けた下枠材本体４と、該下枠材本体４のしゃくり欠除部５に着脱自在に設けられ下枠材本体４と床材との間に介在配置可能な分離材６を具備し、該分離材６を着脱して床材上に載置又は床材間に半沈設することにより床表面との段差を可変に構成するもの（特許文献２参照）や、 所定の間隔をおいて隣り合う壁パネル１の内側側端面２に沿って取付けられる縦枠部材３と、その上端部４にて両側の側端面５（５ａ、５ｂ）が挟持される上枠部材６と、この上枠部材６の上側面７に連結した上枠下地材８とを備え、隣り合う壁パネル１の間に挿設する扉枠材９の取付構造において、隣り合う壁パネル１の上端部１０の間で、上枠下地材８を挟持せしめた後、上枠部材６の側端面５と、上枠下地材８の下側面１１と、壁パネル１の内側側端面２で形成された凹部１２に縦枠部材３を嵌入して形成するので、扉枠材９の高さが天井部分に届く程の高さであっても、扉枠材９の取付施工が簡便且つ精度良くできることに加えて、壁パネルを立設した後に、扉枠材の後付け施工が可能となるもの（特許文献３参照）が開示されている。
【特許文献１】特開平９−１１２１３０号公報
【特許文献２】特開平１０−１７６４６５号公報
【特許文献３】特開２００５−３３６７８４号公報
【発明の開示】
【発明が解決しようとする課題】
【０００５】
従来、マンションやオフィス等のビル工事の扉用の枠体は予め形成された開口部に壁等の枠体や支柱等の桟体と共に取り付けられて、その後、壁塗りや床面、天井面等の内装が実施されていたため、開口部から資材の搬入を行うため傷つけたり変形させたりして多数の傷が付たり汚れたりし、傷や汚れ防止のために保護材を用いると、保護材の取り付けや取り外しに手間暇かかる上、予め、枠体を装着していたために扉と枠体はユニット製品で有るにもかかわらず、枠体は先行取り付け、扉等は後付けされており、二重手間と成っているが、これ等の課題を解決する確定された技術は実施されていないのが実情である。
【０００６】
つまり、特許文献１や特許文献２に記載されているものは、上枠１と左・右枠２ａ・２ｂが同一の幅を有し、各枠よりも幅の狭い下地材３とで矩形状に形成した四方枠仮固定材Ｘを設け、四方枠仮固定材Ｘを必要場所に固定し、下地材３に下枠材４を被冠させる一番傷付き易い下枠材のみを予め細く形成して取り付け、最後に後付けでカバーするように覆うものであり、両側の横枠や上枠は従来と同様に先付けされているもので、更に、特許文献３に記載されているものは、隣り合う壁パネル１の間に挿設する扉枠材９の取付構造において、隣り合う壁パネル１の上端部１０の間で、上枠下地材８を挟持せしめた後、上枠部材６の側端面５と、上枠下地材８の下側面１１と、壁パネル１の内側側端面２で形成された凹部１２に縦枠部材３を嵌入して形成するので、扉枠材９の高さが天井部分に届く程の高さであっても、扉枠材９の取付施工が簡便且つ精度良くできることに加えて、壁パネルを立設した後に、扉枠材の後付け施工が可能となるものであるが、縦枠部材３と上枠下地材８分断して後付けしているもので、抜本的な解決はされていないものである。
【課題を解決するための手段】
【０００７】
本発明は前記課題に鑑み、鋭意研鑽の結果、請求項１に記載の枠体の後付け取付構造は、開口部の複数の任意箇所に固定する複数の角柱状の内部木片と、内部木片の内側に内装する平行する一組の横枠と上枠とで形成された枠体と、枠体の両側面に刻設した凹溝と、内部木片の側面と枠体との外側面を固定するための横断面Ｌ字状固定金具と角部に傾斜部を有した横断面略Ｊ字状固定金具と、枠体に刻設した凹溝に挿通させる突片を立設すると共に内部木片の側面を覆い開口部の両側面に固定する突片付き板状枠体と、を備えたものである。
【０００８】
更に、請求項２に記載の枠体の後付け取付方法は、開口部の複数の任意箇所に固定する複数の角柱状の内部木片と、内部木片の内側に内装する平行する一組の横枠と上枠とで形成された枠体と、枠体の両側面に刻設した凹溝と、内部木片の側面と枠体との外側面を固定するための横断面Ｌ字状固定金具と角部に傾斜部を有した横断面略Ｊ字状固定金具と、枠体に刻設した凹溝に挿通させる突片を立設すると共に内部木片の側面を覆い開口部の両側面に固定する突片付き板状枠体と、を用いて、開口部の内側面の長手方向に沿って内部木片を固定する開口部に内部木片を固定する行程と、開口部に内部木片を固定する行程で固定した内部木片と合致するように枠体の外側面に横断面Ｌ字状固定金具を固定する枠体に横断面Ｌ字状固定金具を固定する行程と、開口部に内部木片を固定する行程で開口部に固定した内部木片の内側に枠体を挿入すると共に枠体に横断面Ｌ字状固定金具を固定する行程で固定した横断面Ｌ字状固定金具を内部木片の一側面に固定する開口部に枠体を挿入固定する行程と、開口部に枠体を挿入固定する行程で挿入固定した枠体と内部木片の他側面とを横断面略Ｊ字状固定金具で固定する枠体に横断面略Ｊ字状固定金具を固定する行程と、枠体の凹溝に突片を挿通させると共に突片付き板状枠体で内部木片の側面を覆って開口部の両側面の外周辺に固定する突片付き板状枠体を固定する行程と、を含むものである。
【発明の効果】
【０００９】
本発明の枠体の後付け取付構造及び取付方法は、ビル等の建築物の開口部に扉用の枠体を後付けするもので、ボード壁取り付け工事、クロス貼り工事が実施された後に扉用の枠体を後付けするために、傷つけたり変形させたり汚れたりする恐れが無く、その為、傷や汚れを防止するための保護材を不要とし、更に、枠体と扉を同時に取り付けられることを可能とするもので二重手間を無くすと共に、その取り付けの際に、枠と扉が干渉しないように枠体と扉の間に内部木片と横断面Ｌ字状固定金具と横断面略Ｊ字状固定金具とを用いることによってクリアランスが保てる状態で枠体を固定できるもので、極めて画期的で実用性の高い発明である。
【発明を実施するための最良の形態】
【００１０】
以下、本発明の枠体の後付け取付構造及び取付方法の実施例の図面を用いて詳細に説明すると、図１は本発明の枠体の後付け取付構造及び取付方法の実施例の要部断面説明図であり、図２は本発明の枠体の後付け取付構造及び取付方法の実施例の開口部側の要部正面説明図であり、図３は本発明の枠体の後付け取付構造及び取付方法の実施例の枠体側の要部正面説明図であり、図４は本発明の枠体の後付け取付構造及び取付方法の実施例の開口部に内部木片を取り付けた状態の斜視図であり、図５は本発明の枠体の後付け取付構造及び取付方法の実施例の枠体に横断面Ｌ字状固定金具を取り付けた状態の斜視図であり、図６は本発明の枠体の後付け取付構造及び取付方法の実施例の開口部に枠体を内装した状態の斜視図であり、図７は本発明の枠体の後付け取付構造及び取付方法の実施例の開口部の枠体に板状枠体を取り付けた状態の斜視図である。
【００１１】
本発明はビル等の建築物の開口部Ａに扉用の枠体１の後付け取付構造及び取付方法に関するものであり、更に詳細には、ビル等の建築物の開口部Ａに取り付ける扉用の枠体１をビル工事の扉を取り付けする時点で枠体の後付けが可能なビル等の建築物の開口部Ａに扉用の枠体の後付け取付構造及び取付方法に関するものであり、請求項１に記載の枠体の後付け取付構造は、ビル等の建築物の開口部Ａに扉用の枠体１を後付けする取付構造であって、前記開口部Ａの内側面の複数の任意箇所に長手方向に沿って固定する該内側面より幅狭とした複数の角柱状の内部木片２と、該夫々の内部木片２の内側に内装する平行する一組の横枠と上枠とで形成された枠体１と、該枠体１の両側面の夫々の枠の長手方向に沿って刻設した凹溝１ａと、前記内部木片２の側面と前記枠体１との外側面を固定するための複数の横断面Ｌ字状固定金具３と角部に傾斜部４ａを有した複数の横断面略Ｊ字状固定金具４と、前記枠体１に刻設した凹溝１ａに挿通させる突片５ａを立設すると共に前記内部木片２の側面を覆い前記開口部Ａの両側面に固定する突片付き板状枠体５と、を備えたことを特徴とするものである。
【００１２】
更に、請求項２に記載の枠体の後付け取付方法は、ビル等の建築物の開口部Ａに扉用又は窓用の枠体１を後付けする取付方法であって、前記開口部Ａの内側面の複数の任意箇所に長手方向に沿って固定する該内側面より幅狭とした複数の角柱状の内部木片２と、該夫々の内部木片２の内側に内装する平行する一組の横枠と上枠とで形成された枠体１と、該枠体１の両側面の夫々の枠の長手方向に沿って刻設した凹溝１ａと、前記内部木片２の側面と前記枠体１との外側面を固定するための複数の横断面Ｌ字状固定金具３と角部に傾斜部４ａを有した複数の横断面略Ｊ字状固定金具４と、前記枠体１に刻設した凹溝１ａに挿通させる突片５ａを立設すると共に前記内部木片２の側面を覆い前記開口部Ａの両側面に固定する突片付き板状枠体５と、を用いて、前記開口部Ａの内側面の長手方向に沿って複数の任意箇所に前記内部木片２を固定する開口部に内部木片を固定する行程と、該開口部に内部木片を固定する行程で固定した複数の内部木片２と合致するように枠体１の外側面に複数の横断面Ｌ字状固定金具３の一辺を固定する枠体に横断面Ｌ字状固定金具を固定する行程と、前記開口部に内部木片を固定する行程で開口部Ａに固定した複数の内部木片２の内側に枠体１を挿入すると共に枠体１に横断面Ｌ字状固定金具を固定する行程で固定した夫々の横断面Ｌ字状固定金具３の他辺を夫々の内部木片２の一側面に固定する開口部に枠体を挿入固定する行程と、該開口部に枠体を挿入固定する行程で挿入固定した枠体１の外側面と夫々の内部木片２の他側面とを横断面略Ｊ字状固定金具４で夫々固定する枠体に横断面略Ｊ字状固定金具を固定する行程と、前記枠体１の両側面の凹溝１ａに夫々突片５ａを挿通させると共に突片付き板状枠体５で内部木片２の側面を覆って開口部Ａの両側面の外周辺に夫々固定する突片付き板状枠体を固定する行程と、を含むことを特徴とするものである。
【実施例】
【００１３】
即ち、開口部Ａはビル等の建築物の外壁や内壁に開口されており、開口部Ａには後述する枠体１を装着して建築物の完成後は扉ユニットを開閉可能に取り付けるものである。
【００１４】
そして、内部木片２は角柱状のもので貼着又はビス止め等の手段で固定するもので、開口部Ａの内側面の長手方向の長さに合わせた単体のものでも、長手方向に沿って短角柱状の複数ものを固定しても構わないもので、一般的な片開き扉で有れば、実施例の図４に図示する如く、左右の上下方向に４ヵ所、横方向に１ヵ所程度で構わないものであり、少なくとも後述する横断面Ｌ字状固定金具３と横断面略Ｊ字状固定金具４とを固定できる長さがあれば、多少のサイズの相違は構わないもので、実施例では４０ｍｍ×２０ｍｍ程度の角柱状のもので、開口部Ａの内側面の幅より幅狭とし、開口部Ａの内側面と後述する枠体１の外側面との間に固定するものである。
【００１５】
次に、枠体１は平行する一組の横枠と上枠とで形成されたコ字状のもので、最終的にはビル等の建築物の扉が取り付けられるものであり、内側面には扉を取り付けるためのヒンジやレール、又は、キー機構等が付設され、開口部Ａに固定された夫々の内部木片２の内側に内装するものである。
【００１６】
次いで、凹溝１ａは枠体１の両側面の夫々の枠の長手方向に沿って実施例では幅６ｍｍに刻設しているもので、後述する突片付き板状枠体５に立設した突片５ａを挿通させるものである。
【００１７】
更に、横断面Ｌ字状固定金具３は、実施例では図１に図示する如く、長辺３０ｍｍと短辺２０ｍｍとしたＬ型チャンネルであり、枠体１や内部木片２とをビスや釘等で固定する場合には適宜複数個の貫通孔を穿設するもので、長辺の外側を枠体１の外側面に当接して貼着又はビス、釘等の手段で固定し、短辺の内側を内部木片２の側面に当接して貼着又はビス、釘等の手段で固定するものである。
【００１８】
更には、横断面略Ｊ字状固定金具４は、横断面Ｌ字状固定金具３と対にして用いるものであり、図１に図示する如く、横断面Ｌ字状固定金具３の角部に４５度傾斜させた傾斜部４ａを形成し、短辺約５ｍｍの外側を枠体１の外側に当接して、長辺約２０ｍｍの外側を内部木片２の側面に当接して、傾斜部４ａに貫通孔を穿設してビス又は釘を斜め方向に打ち込んで枠体１と固定しているものである。
【００１９】
更には、突片付き板状枠体５は、枠体１に刻設した凹溝１ａに挿通させる突片５ａを立設した板状のもので、枠体１の両側に固定することにより、内部木片２の側面や固定した横断面Ｌ字状固定金具３や横断面略Ｊ字状固定金具４を外側から目視できないように覆うと共に、開口部Ａの外周辺の両側面に貼着又はビス、釘等の手段により固定するものである。
【００２０】
そして、請求項２に記載の枠体の後付け取付方法は、前述の請求項１に記載の枠体の後付け取付構造を用いて枠体１を後付けで取り付けを実施する方法であり、枠体の後付け取付構造の詳述は重複するので省略し、枠体の後付け取付方法はビル等の建物のボード壁取り付け工事、クロス貼り工事が実施された後でも実施できるもので、以下に詳述するものある。
【００２１】
先ず、開口部に内部木片を固定する行程は、図４に図示する如く、ビル等の建築物の外壁や内壁に開口されている開口部Ａの内側面の長手方向に沿って複数の任意箇所に内部木片２を貼着、ビス、釘等によって固定するものである。
【００２２】
次に、枠体に横断面Ｌ字状固定金具を固定する行程では、図５に図示する如く、枠体１の外側面の複数の内部木片２を固定した任意箇所に合致させて、枠体１に横断面Ｌ字状固定金具３の一辺を貼着、ビス、釘等によって固定するものである。
【００２３】
次いで、開口部に枠体を挿入固定する行程では、図６に図示する如く、枠体１の外側に複数の横断面Ｌ字状固定金具３を固定した状態の枠体１を開口部Ａに固定した複数の内部木片２の内側に挿入すると共に、開口部Ａに固定されている内部木片２の一側面と横断面Ｌ字状固定金具３の他辺を固定するものである。
【００２４】
更に、枠体に横断面略Ｊ字状固定金具を固定する行程では、前記開口部に枠体を挿入固定する行程で固定した枠体１の外側面と内部木片２の他側面とを横断面略Ｊ字状固定金具４で固定するものであり、横断面略Ｊ字状固定金具４の傾斜部４ａに斜め方向にビスや釘を打ち付けて枠体１に固定するものである。
【００２５】
更には、突片付き板状枠体を固定する行程では、突片付き板状枠体５に立設した突片５ａを枠体１の両側面の凹溝１ａに挿通させて、突片付き板状枠体５で開口部Ａの両側面の外周辺に貼着等の手段によって固定するもので、突片付き板状枠体５を固定することによって、先に固定した内部木片２の側面や横断面Ｌ字状固定金具３、及び、横断面略Ｊ字状固定金具４を覆って外部に露出させないようにしているものである。
【産業上の利用可能性】
【００２６】
つまり、本発明の枠体の後付け取付構造及び取付方法は、ビル等の建築物の開口部に扉用の枠体を後付けするもので、ボード壁取り付け工事、クロス貼り工事が実施された後でも扉用の枠体を後付けを可能とするために、傷つけたり変形させたり汚れたりする恐れが無く、その為、傷や汚れ防止のための保護材を不要とし、更に、枠体と扉を同時に取り付けられることを可能とするもので二重手間を無くすと共に、その取り付けの際に、枠と扉が干渉しないように枠体と扉の間に内部木片と横断面Ｌ字状固定金具と横断面略Ｊ字状固定金具とを用いることによってクリアランスが保てる状態で枠体を固定できる枠体の後付け取付構造及び取付方法を提供するものである。
【図面の簡単な説明】
【００２７】
【図１】図１は本発明の枠体の後付け取付構造及び取付方法の実施例の要部断面説明図である。
【図２】図２は本発明の枠体の後付け取付構造及び取付方法の実施例の開口部側の要部正面説明図である。
【図３】図３は本発明の枠体の後付け取付構造及び取付方法の実施例の枠体側の要部正面説明図である。
【図４】図４は本発明の枠体の後付け取付構造及び取付方法の実施例の開口部に内部木片を取り付けた状態の斜視図である。
【図５】図５は本発明の枠体の後付け取付構造及び取付方法の実施例の枠体に横断面Ｌ字状固定金具を取り付けた状態の斜視図である。
【図６】図６は本発明の枠体の後付け取付構造及び取付方法の実施例の開口部に枠体を内装した状態の斜視図である。
【図７】図７は本発明の枠体の後付け取付構造及び取付方法の実施例の開口部の枠体に板状枠体を取り付けた状態の斜視図である。
【符号の説明】
【００２８】
Ａ      開口部
１      枠体
１ａ    凹溝
２      内部木片
３      横断面Ｌ字状固定金具
４      横断面略Ｊ字状固定金具
４ａ    傾斜部
５      突片付き板状枠体
５ａ    突片
【図１】
2007247319.tif 000003
【図２】
2007247319.tif 000004
【図３】
2007247319.tif 000005
【図４】
2007247319.tif 000006
【図５】
2007247319.tif 000007
【図６】
2007247319.tif 000008
【図７】
2007247319.tif 000009